(57)【要約】【課題】外部からの衝撃によって与えられる光ピックアップユニットへの衝撃力を緩和する光ディスク装置を提供する。【解決手段】光ディスク装置１０のメインシャーシ３０が主軸５３の軸方向かつディスク２０外周方向の衝撃力を受けると、サブシャーシユニット５０は、衝撃力と反対方向の慣性力を受けて移動する。メインシャーシ３０と衝突した緩衝装置５５は光ピックアップユニット５２に向かってサブシャーシ５１上を移動し、最内周検出用スイッチ５６よりも光ピックアップユニット５２側に突出することにより、光ピックアップユニット５２が最内周検出用スイッチ５６と衝突することを防止するとともに、衝撃力を緩和する。【選択図】図１
2010160835.tif 000002
【特許請求の範囲】
【請求項１】
光ピックアップを支持する支持部材と、
第１の枠部材の内部に第１の弾性部材を介して支持される第２の枠部材と、
前記第２の枠部材の内部で該第２の枠部材に固定され、前記支持部材をディスクの半径方向に移動可能に支持する軸と、
前記支持部材の前記ディスクの半径方向側面と対向する部分に緩衝部材が設けられ、前記軸の軸方向に移動可能となるように第２の弾性部材を介して前記第２の枠部材に設けられた緩衝装置と、
を備える光ディスク装置であって、
前記緩衝装置の一部は、前記軸方向であって前記第２の枠部材から前記第１の枠部材に向かって突出するように設けられ、
前記第２の枠部材は、前記第１の枠部材が前記軸方向の衝撃力を受けた場合に、該衝撃力と反対方向の慣性力により移動し、
前記緩衝装置の緩衝部材は、前記慣性力により前記第１の枠部材と前記緩衝装置の一部が衝突した後に前記緩衝装置が前記第２の枠部材から前記支持部材へ向かう方向に移動することにより、前記支持部材と衝突して衝撃力を緩和する、
ことを特徴とする光ディスク装置。
【請求項２】
前記緩衝装置は、前記支持部材における前記ディスクの内周方向側面と対向するように位置するとともに、前記支持部材における前記ディスクの内周方向側面と対向する部分に前記緩衝部材が設けられており、
前記第２の枠部材に前記支持部材に向かって突出するように設けられ、前記支持部材が接触することにより前記支持部材が最内周位置に位置することを検出するスイッチをさらに備える、
ことを特徴とする請求項１に記載の光ディスク装置。
【請求項３】
前記緩衝装置は、前記支持部材における前記ディスクの外周方向側面と対向するように位置するとともに、前記支持部材における前記ディスクの外周方向側面と対向する部分に前記緩衝部材が設けられている、
ことを特徴とする請求項１に記載の光ディスク装置。
【発明の詳細な説明】
【技術分野】
【０００１】
本発明は、外部からの衝撃を吸収する構造を有する光ディスク装置に関する。
【背景技術】
【０００２】
光記録媒体のディスクに情報を記録或いは再生する光ディスク装置には、ディスクの半径方向に沿って移動しつつ、そのディスクの記録面に垂直に光を照射し、それより反射される光を受光して情報を記録或いは再生する光ピックアップが用いられている。
【０００３】
このような光ディスク装置が輸送時や落下試験時等に外部から強い衝撃を受けた場合に、光ピックアップが通常の可動範囲を超えて移動し、シャーシの内壁に衝突して損傷を受ける事があった。
【０００４】
上述した問題を解決するために、特許文献１では、光ピックアップを光ディスクの径方向に移動、支持するガイド軸の両端に圧縮コイルバネを通して配置し、輸送時や落下試験時の衝撃から光ピックアップを保護する衝撃保護装置が記載されている。
【０００５】
また、特許文献２では、ガイド軸の主軸側内周終端に緩衝体を設け、副軸側内周終端に板バネを設けることにより衝撃から光ピックアップを保護する光ディスク装置が記載されている。
【０００６】
ここで、特許文献１に記載された光ピックアップの衝撃保護装置は、光ピックアップの重量が大きい場合には十分な衝撃緩衝効果を得るためにコイルバネの弾性力を大きくする必要がある。しかし、光ピックアップがその移動範囲内でコイルバネと接触する場合には、移動用のモータはコイルバネの弾性力に抗して光ピックアップを移動させなければならず、モータの駆動力を大きくする必要があった。
【０００７】
また、特許文献１に記載の光ピックアップの衝撃保護装置や特許文献２に記載の光ディスク装置では、外部からの衝撃等により光ピックアップが最内周側に移動したときに、最内周位置を検出するスイッチと光ピックアップとが衝突し、破損を起こすという問題があった。
【先行技術文献】
【特許文献】
【０００８】
【特許文献１】特開２０００−２４３０４６号公報
【特許文献２】特開２００１−３１９４３６号公報
【発明の概要】
【発明が解決しようとする課題】
【０００９】
本発明はかかる問題点に鑑みてなされたものであって、外部からの衝撃によって与えられる光ピックアップユニットへの衝撃力を緩和する光ディスク装置を提供することを目的とする。
【課題を解決するための手段】
【００１０】
上記目的を達成するため、本発明の第１の観点に係る光ディスク装置は、光ピックアップを支持する支持部材と、第１の枠部材の内部に第１の弾性部材を介して支持される第２の枠部材と、前記第２の枠部材の内部で該第２の枠部材に固定され、前記支持部材をディスクの半径方向に移動可能に支持する軸と、前記支持部材の前記ディスクの半径方向側面と対向する部分に緩衝部材が設けられ、前記軸の軸方向に移動可能となるように第２の弾性部材を介して前記第２の枠部材に設けられた緩衝装置と、を備える光ディスク装置であって、前記緩衝装置の一部は、前記軸方向であって前記第２の枠部材から前記第１の枠部材に向かって突出するように設けられ、前記第２の枠部材は、前記第１の枠部材が前記軸方向の衝撃力を受けた場合に、該衝撃力と反対方向の慣性力により移動し、前記緩衝装置の緩衝部材は、前記慣性力により前記第１の枠部材と前記緩衝装置の一部が衝突した後に前記緩衝装置が前記第２の枠部材から前記支持部材へ向かう方向に移動することにより、前記支持部材と衝突して衝撃力を緩和する、ことを特徴とする。
【００１１】
また、前記緩衝装置は、前記支持部材における前記ディスクの内周方向側面と対向するように位置するとともに、前記支持部材における前記ディスクの内周方向側面と対向する部分に前記緩衝部材が設けられており、前記第２の枠部材に前記支持部材に向かって突出するように設けられ、前記支持部材が接触することにより前記支持部材が最内周位置に位置することを検出するスイッチをさらに備えてもよい。
【００１２】
また、前記緩衝装置は、前記支持部材における前記ディスクの外周方向側面と対向するように位置するとともに、前記支持部材における前記ディスクの外周方向側面と対向する部分に前記緩衝部材が設けられてもよい。
【発明の効果】
【００１３】
本発明によれば、外部からの衝撃によって与えられる光ピックアップユニットへの衝撃力を緩和する光ディスク装置を提供できる。
【図面の簡単な説明】
【００１４】
【図１】本実施形態に係る光ディスク装置の内周側一部上面図である。
【図２】本実施形態に係る光ディスク装置において、光ピックアップユニットが最内周位置にある場合の内周側一部上面図である。
【図３】（ａ）〜（ｃ）は、本実施形態に係る光ディスク装置が受けた衝撃力によりサブシャーシユニットが移動する場合の内周側一部上面図である。
【図４】本実施形態に係る光ディスク装置の外周側一部上面図である。
【図５】本実施形態に係る光ディスク装置が受けた衝撃力によりサブシャーシユニットが移動する場合の外周側一部上面図である。
【発明を実施するための形態】
【００１５】
以下、本発明の実施形態に係る光ディスク装置１０を、図を参照して説明する。
【００１６】
図１は、本実施形態に係る光ディスク装置１０の内周側一部上面図である。図１に示す光ディスク装置１０は、ディスク２０と、メインシャーシ３０と、ターンテーブル４０と、サブシャーシユニット５０などから構成される。ディスク２０は、図示されないスピンドルモータの回転軸に固定されたターンテーブル４０に載置された状態で、スピンドルモータが回転することによりターンテーブル４０と一体に回転する。メインシャーシ３０には、緩衝バネ６０を介してサブシャーシユニット５０が保持される。
【００１７】
サブシャーシユニット５０は、サブシャーシ５１と、光ピックアップユニット５２と、主軸５３と、副軸５４と、緩衝装置５５と、最内周検出用スイッチ５６とから構成されている。サブシャーシ５１は、２つの牽引バネ５７により外部からの衝撃、振動を緩和されるようにメインシャーシ３０内に保持される。なお、牽引バネ５７としては、金属製のコイルバネや合成樹脂等の弾性部材が用いられる。
【００１８】
光ピックアップユニット５２は、ディスク２０に記録された情報を読み取る光ピックアップ５２１と、光ピックアップ５２１を支持する支持部５２２と、主軸５３が挿通する２つの第１軸受部５２３ａ、５２３ｂと、副軸５４が挿通する第２軸受部５２４を有する。
【００１９】
主軸５３と副軸５４は、ディスク面と平行にそれぞれサブシャーシ５１内部に取り付けられる。光ピックアップユニット５２は、主軸５３と副軸５４を案内ガイドとしてディスク２０の半径方向に移動可能である。本発明において光ピックアップユニット５２の移動手段は限定されないが、一般的には光ピックアップユニットを備えたラックがギアと噛み合い、モータで回転運動されるギアの回転に伴って移動する。
【００２０】
緩衝装置５５は、略Ｕ字状に形成され、ターンテーブル４０の一部を囲むようにサブシャーシ５１上に配置されている。緩衝装置５５は、その両側で牽引バネ５７を介してサブシャーシ５１上に取り付けられている。また、緩衝装置５５は、サブシャーシ５１上で主軸５３及び副軸５４の軸方向にのみ移動可能となるように、スライドガイド部５５１により移動が拘束される。緩衝装置５５のＵ字形の腕の先端部には、合成樹脂等から形成された緩衝部材５５２が設けられている。緩衝装置５５のメインシャーシ３０と対向する部分は、サブシャーシ５１上からメインシャーシ３０側に突出している。ここで、緩衝装置５５がサブシャーシ５１から突出している距離を相対距離Ｄとする。相対距離Ｄは、サブシャーシ５１が外部からの衝撃などによりメインシャーシ３０と接触した場合に、緩衝部材５５２が最内周検出用スイッチ５６よりも光ピックアップユニット５２側に突出し、光ピックアップユニット５２が最内周検出用スイッチ５６に接触しない距離となるように定められる。
【００２１】
最内周検出用スイッチ５６は、光ピックアップユニット５２と接触することにより、光ピックアップユニット５２が最内周に移動したことを検知する。最内周検出用スイッチ５６は、サブシャーシ５１上で光ピックアップユニット５２に向かって突出する向きに取り付けられている。ここで、光ピックアップユニット５２が最内周位置に移動した時の図を図２に示す。図２に示すように、光ピックアップユニット５２の第１軸受部５２３ａは、緩衝装置５５の緩衝部材５５２に接触することなく、最内周検出用スイッチ５６と接触している。
【００２２】
次に、外部から衝撃を受けたときの光ディスク装置１０の動作について説明する。
【００２３】
図３（ａ）〜（ｃ）は、本実施形態に係る光ディスク装置１０が受けた衝撃力によりサブシャーシユニット５０が移動する場合の内周側一部上面図である。光ディスク装置１０が落下等により外部から図３（ａ）の矢印Ａ方向に衝撃が加わると、光ピックアップユニット５２を含むサブシャーシユニット５０全体が相対距離Ｄを保ったまま慣性力により図３（ａ）の矢印Ｂ方向に移動する。そして、図３（ｂ）に示すように、緩衝装置５５がメインシャーシ３０に接触すると、サブシャーシ５１がメインシャーシ３０に衝突するまでの間、相対距離Ｄの減少分ｄだけ緩衝部材５５２はサブシャーシ５１上から光ピックアップユニット５２側に向かって突出する。そして、図３（ｃ）に示すように、サブシャーシ５１がメインシャーシ３０と衝突すると、緩衝部材５５２は、サブシャーシ５１上から最内周検出用スイッチ５６よりも光ピックアップユニット５２側に突出しているため、光ピックアップユニット５２は、最内周検出用スイッチ５６と接触せずに緩衝部材５５２と衝突し、その衝撃が緩和される。さらに、緩衝装置５５がメインシャーシ３０と衝突すると、慣性力により矢印Ｂ方向へと移動するサブシャーシユニット５０の運動エネルギーが、引張による牽引バネ５７の弾性エネルギーへと変化するためサブシャーシユニット５０とメインシャーシ３０との衝突による衝撃力についても緩和される。その後、緩衝装置５５は牽引バネ５７により、また、サブシャーシ５１は緩衝バネ６０により、もとの位置に戻る。
【００２４】
図４は、本実施形態に係る光ディスク装置１０の外周側一部上面図である。基本的な構成は内周側と同様であるため、その詳細な説明は省略する。この場合も、図５に示すように、光ディスク装置１０の落下により外部から矢印Ａ方向に衝撃が加わり、矢印Ｂ方向にサブシャーシユニット５０が慣性力により移動すると、上述した内周側における緩衝装置５５と同様の動作により、光ピックアップユニット５２とともにサブシャーシユニット５０が衝撃から保護される。
【００２５】
以上のように、本実施形態に係る光ディスク装置１０は、２段階の衝撃緩和効果により、効果的に光ピックアップ５２１が外部の衝撃から保護され、かつサブシャーシユニット５０に含まれるモータ、スイッチ等の部品も保護することが可能である。また、内周側に位置する光ピックアップ５２１の最内周検出用スイッチ５６は、緩衝装置５５により光ピックアップユニット５２との衝突が防止されるため、最内周検出用スイッチ５６も保護することが可能である。
【符号の説明】
【００２６】
１０      光ディスク装置
２０      ディスク
３０      メインシャーシ
４０      ターンテーブル
５０      サブシャーシユニット
５１      サブシャーシ
５２      光ピックアップユニット
５２１    光ピックアップ
５２２    支持部
５２３ａ、５２３ｂ  第１軸受部
５２４    第２軸受部
５３      主軸
５４      副軸
５５      緩衝装置
５５１    スライドガイド部
５５２    緩衝部材
５６      最内周検出用スイッチ
５７      牽引バネ
６０      緩衝バネ
【図１】
2010160835.tif 000003
【図２】
2010160835.tif 000004
【図３】
2010160835.tif 000005
【図４】
2010160835.tif 000006
【図５】
2010160835.tif 000007